(57)【要約】【課題】好適な画像の表示が可能な画像表示装置提供する。【解決手段】本発明の画像表示装置１は、筐体１１の外面の一部を覆うスクリーン２０と、前記外面における前記スクリーン２０の外周部に設けられた、外部状態を内部より撮影可能な外部光透過領域２０と、前記筐体１１の内部に配置され、前記スクリーン２０に内面側から画像を投影する画像投影装置３０と、該スクリーン２０の前記内面側と前記外部光透過領域２０とを撮影可能な撮影装置４０と、を特徴とする。【選択図】図１
2013205542.tif 000002
【特許請求の範囲】
【請求項１】
筐体の外面の一部を覆うスクリーンと、
前記外面における前記スクリーンの外周部に設けられた、外部状態を内部より撮影可能な外部光透過領域と、
前記筐体の内部に配置され、前記スクリーンに内面側から画像を投影する画像投影装置と、
該スクリーンの前記内面側と前記外部光透過領域とを撮影可能な撮影装置と、
を特徴とする画像表示装置。
【請求項２】
請求項１に記載の画像表示装置であって、
前記撮影装置により撮影された前記外部光透過領域の画像に応じて、前記スクリーンへの画像の投影状態を決定する制御部と、を備えること、
を特徴とする画像表示装置。
【請求項３】
請求項２に記載の画像表示装置であって、
前記投影状態は、前記画像投影装置による前記スクリーンへの画像の投影のオンオフであること、
を特徴とする画像表示装置。
【請求項４】
請求項３に記載の画像表示装置であって、
前記投影状態は、前記画像投影装置による前記スクリーンへの投影画像の内容であること、
を特徴とする画像表示装置。
【請求項５】
請求項１から４のいずれか１項に記載の画像表示装置であって、
前記外部光透過領域には、前記撮影装置に対してパワーを有する光学系が配置されていること、
を特徴とする画像表示装置。
【請求項６】
請求項１から５のいずれか１項に記載の画像表示装置であって、
前記スクリーンは導光板であり、
該導光板の側面に配置された前記導光板の内部に光を入射する第１の光源を備え、
前記撮影装置は、第１の光源の光の波長を優先的に撮影可能な波長選択機能を有し、前記導光板に物体が接触した際に、前記第１の光源より入射して前記導光板の内部を伝播する光が前記接触した物体から反射する光を撮影することで、前記物体の接触位置を特定可能であること、
を特徴とする画像表示装置。
【請求項７】
請求項１から６のいずれか１項に記載の画像表示装置であって、
前記外部光透過領域の外部を照明する第２の光源を備えること、
を特徴とする画像表示装置。
【請求項８】
請求項１から５のいずれか１項に記載の画像表示装置であって、
前記スクリーンは導光板であり、
前記導光板の側面に配置された前記導光板の内部に光を入射する第１の光源と、
前記外部光透過領域の外部を照明する第２の光源と、
前記第１の光源と前記第２の光源の発光を制御する制御部と、
を備え、
前記撮影装置は、第１の光源の光の波長を優先的に撮影可能な波長選択機能を有し、前記導光板に物体が接触した際に、前記第１の光源より入射して前記導光板の内部を伝播する光が前記接触した物体から反射した光を撮影することで、前記物体の接触位置を特定可能であり、
前記制御部は、前記第１の光源と前記第２の光源とを交代に点灯させ、
前記撮影装置は、前記点灯の周期に対応して、前記第１の光源が点灯したときの画像と前記第２の光源が点灯したときの画像とを交互に撮影すること、
を特徴とする画像表示装置。
【発明の詳細な説明】
【技術分野】
【０００１】
本発明は、画像表示装置に関するものである。
【背景技術】
【０００２】
従来、画像表示装置として、画像が表示されるスクリーンに操作者が直接触れて各種操作を行うものが知られている（特許文献１参照）。このような画像表示装置では、表示装置の筐体内部に、スクリーンを裏面より撮影するカメラを配置し、スクリーンに指などが接触したときに、指で反射した光をカメラで撮影することで、指の位置を特定している。
【先行技術文献】
【特許文献】
【０００３】
【特許文献１】特開２００７−１１２７６号公報
【発明の概要】
【発明が解決しようとする課題】
【０００４】
本発明の課題は、好適な画像の表示が可能な、画像表示装置を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、筐体（１１）の外面の一部を覆うスクリーン（２０，２２０，３２０）と、前記外面における前記スクリーン（２０，２２０，３２０）の外周部に設けられた、外部状態を内部より撮影可能な外部光透過領域（２０，２２０，３２０）と、前記筐体（１１）の内部に配置され、前記スクリーン（２０，２２０，３２０）に内面側から画像を投影する画像投影装置（３０，３３０）と、該スクリーン（２０，２２０，３２０）の前記内面側と前記外部光透過領域（２０，２２０，３２０）とを撮影可能な撮影装置（４０，２４０，３４０）と、を特徴とする画像表示装置（１，２，３）である。
請求項２に記載の発明は、請求項１に記載の画像表示装置（１，２，３）であって、前記撮影装置（４０，２４０，３４０）により撮影された前記外部光透過領域（２０，２２０，３２０）の画像に応じて、前記スクリーン（２０，２２０，３２０）への画像の投影状態を決定する制御部（６０，６１）と、を備えること、を特徴とする画像表示装置（１，２，３）である。
請求項３に記載の発明は、請求項２に記載の画像表示装置（１，２，３）であって、前記投影状態は、前記画像投影装置（３０，３３０）による前記スクリーン（２０，２２０，３２０）への画像の投影のオンオフであること、を特徴とする画像表示装置（１，２，３）である。
請求項４に記載の発明は、請求項３に記載の画像表示装置（１，２，３）であって、前記投影状態は、前記画像投影装置（３０，３３０）による前記スクリーン（２０，２２０，３２０）への投影画像の内容であること、を特徴とする画像表示装置（１，２，３）である。
請求項５に記載の発明は、請求項１から４のいずれか１項に記載の画像表示装置（２，３）であって、前記外部光透過領域（２２０，３２０）には、前記撮影装置（２４０，３４０）に対してパワーを有する光学系（２２２，３２２）が配置されていること、を特徴とする画像表示装置（２，３）である。
請求項６記載の発明は、請求項１から５のいずれか１項に記載の画像表示装置（２，３）であって、前記スクリーンは導光板（２２０，３２０）であり、該導光板（２２０，３２０）の側面に配置された前記導光板（２２０，３２０）の内部に光を入射する第１の光源（２０２，３０２）を備え、前記撮影装置（４０，２４０，３４０）は、第１の光源（２０２，３０２）の光の波長を優先的に撮影可能な波長選択機能を有し、前記導光板（２２０，３２０）に物体が接触した際に、前記第１の光源（２０２，３０２）より入射して前記導光板（２２０，３２０）の内部を伝播する光が前記接触した物体から反射する光を撮影することで、前記物体の接触位置を特定可能であること、を特徴とする画像表示装置（１，２，３）である。
請求項７に記載の発明は、請求項１から６のいずれか１項に記載の画像表示装置（１，２，３）であって、前記外部光透過領域（２０，２２０，３２０）の外部を照明する第２の光源（２０３，３０３）を備えること、を特徴とする画像表示装置（１，２，３）である。
請求項８に記載の発明は、請求項１から５のいずれか１項に記載の画像表示装置（３）であって、前記スクリーン（３２０）は導光板（３２０）であり、前記導光板（３２０）の側面に配置された前記導光板（３２０）の内部に光を入射する第１の光源（３０２）と、前記外部光透過領域（３２０）の外部を照明する第２の光源（３０３）と、前記第１の光源（３０２）と前記第２の光源（，３０３）の発光を制御する制御部（６０，６１）と、を備え、前記撮影装置（３４０）は、第１の光源（３０２）の光の波長を優先的に撮影可能な波長選択機能を有し、前記導光板（３２０）に物体が接触した際に、前記第１の光源（３０２）より入射して前記導光板（３２０）の内部を伝播する光が前記接触した物体から反射した光を撮影することで、前記物体の接触位置を特定可能であり、前記制御部（６０，６１）は、前記第１の光源（３０２）と前記第２の光源（３０３）とを交代に点灯させ、前記撮影装置（３４０）は、前記点灯の周期に対応して、前記第１の光源（３０２）が点灯したときの画像と前記第２の光源（３０３）が点灯したときの画像とを交互に撮影すること、を特徴とする画像表示装置（３）である。
なお、符号を付して説明した構成は、適宜改良してもよく、また、少なくとも一部を他の構成物に代替してもよい。
【発明の効果】
【０００７】
本発明によれば、好適な画像の表示が可能な画像表示装置を提供することができる。
【図面の簡単な説明】
【０００８】
【図１】本発明の第１実施形態の画像表示装置を示す図である。
【図２】第１実施形態のカメラによって撮影される画像の一例である。
【図３】スクリーンに表示される画像の例を示したものである。
【図４】本発明の第２実施形態の画像表示装置を示す図である。
【図５】第２実施形態のカメラによって撮影される画像の一例である。
【図６】第３実施形態の画像表示装置を示す図である。
【図７】（ａ）は、スクリーン用ＬＥＤによりスクリーンが照明されているときに撮影された画像であり、（ｂ）は、外部用ＬＥＤにより外部が照明されているときに撮影された画像である。
【発明を実施するための形態】
【０００９】
（第１実施形態）
以下、図面等を参照して、本発明の実施形態について説明する。図１は、本発明の第１実施形態の画像表示装置１を示す図である。なお、本明細書において、画像とは、静止画だけでなく動画も含むものを意味する。
【００１０】
画像表示装置１は、表示部１０と、制御部６０とを備える。
表示部１０は、全体形状が略直方体状の筐体１１と、筐体１１の上面に配設されたスクリーン２０と、を備えている。筐体１１の内部には、プロジェクタ３０と、カメラ４０が配置されている。
【００１１】
スクリーン２０は、筐体１１の上面を覆うように配置されているが、その外周部には、外部の状態を内部より撮影可能な外部光透過領域である窓部２１が設けられている。スクリーン２０は、たとえば透明アクリルやポリカーボネート等、可視光を透過可能な素材によって所定厚さに形成されている。
【００１２】
スクリーン２０のプロジェクタ３０側には、拡散板２０ａが取り付けられており、その拡散板２０ａにプロジェクタ３０から画像が投影され、その投影画像が拡散板２０ａによって拡散されて、スクリーン２０の外面側から投影画像の観察が可能となる。
また、窓部２１は、上述のようにスクリーン２０の外周部に設けられている。本実施形態で窓部２１はガラス等の透明部材が配置されている。
【００１３】
プロジェクタ３０は、詳細には図示しないが、投射光源と画像透光表示部と光学系とにより構成されており、画像光をスクリーン２０に向けて投射するように、筐体１１の内部所定位置に配設されている。
プロジェクタ３０は、後述する制御部６０（画像処理装置６２）から入力される画像光をスクリーン２０に投射する。
【００１４】
カメラ４０は、詳細には図示しないが、結像光学系と受光素子等とを備え、筐体１１の内部所定位置に配設され、スクリーン２０及び窓部２１を含む領域の画像を取得可能となっている。
図２はカメラ４０によって撮影される画像の一例である。上述のように窓部２１を通して外部の状態を観察可能であるため、窓部２１の外側に、たとえば操作者Ｓが近づいたとき、カメラ４０で撮影される画像に、窓部２１を通して操作者Ｓが写り込む。
【００１５】
制御部６０は、画像表示装置１を統括制御するものであり表示部１０と接続されている。
制御部６０は、ＣＰＵ６１、画像処理装置６２、メモリ６３、ストレージ６６、等を備えて構成されている、例えばパーソナルコンピュータである。
【００１６】
画像処理装置６２は、カメラ４０の撮影画像を入力して解析する。たとえば窓部２１における操作者Ｓの存在の有無の判定や、スクリーン２０における接触位置の解析を行う。そして画像処理装置６２は、これらの判定結果や解析結果を、ＣＰＵ６１に出力する。
ＣＰＵ６１は、画像処理装置６２から入力された判定情報に基づき、ストレージ６６に格納された画像情報のスクリーン２０への表示や、接触位置に応じた各種処理を行う。
メモリ６３は、ＣＰＵ６１を動作させるプログラムを格納する。
ストレージ６６は、スクリーン２０に表示する画像情報を格納する。
【００１７】
次に、本実施形態の動作について説明する。
上記のように構成されたカメラ４０は、画像表示装置１の図示しないメインスイッチがＯＮになると、スクリーン２０と窓部２１との撮影を開始する。
操作者Ｓが、スクリーン２０に近づき、窓部２１を通してカメラ４０によって撮影可能な位置にくると、操作者Ｓの画像がカメラ４０に撮影される。
【００１８】
カメラ４０によって撮影された画像は画像処理装置６２に送信される。
画像処理装置６２は、カメラ４０の撮影画像を入力して解析し、窓部２１における操作者Ｓの存在の有無の判定を行う。画像処理装置６２は、作成したこれらの判定情報を、ＣＰＵ６１に出力する。
ここで、画像処理装置６２は、窓部２１における操作者Ｓの存在の有無だけでなく、たとえば撮影された顔に基づいて、性別や年齢等を判定するものであっても良い。
また、画像処理装置６２は、窓部２１における操作者Ｓの位置、また人数等を解析するものであっても良い。
【００１９】
ＣＰＵ６１は、画像処理装置６２から入力された判定情報に基づき、操作者Ｓが検出された場合、メモリ６３に格納されたプログラムによるＣＰＵ６１の駆動によって、ストレージ６６に格納された画像情報を画像処理装置６２で処理してプロジェクタ３０に出力し、プロジェクタ３０を介してスクリーン２０に表示させる。
【００２０】
図３はスクリーン２０に表示される画像の一例を示したものである。図３（ａ）に示すように、操作者Ｓが近づくと、スクリーン２０に画像が表示される。
【００２１】
ここで、画像処理装置６２が、操作者Ｓの数、位置、性別、年齢等を判定する場合、ＣＰＵ６１は、操作者Ｓの性別や年齢によって画像の内容を変更することもできる。この場合、操作者Ｓの性別や年齢によって異なるそれぞれのニーズに応じた画像を表示することが可能となる。
【００２２】
図３（ｂ）は、年齢層の異なる複数の操作者Ｓがスクリーン２０の対面位置に存在する場合、スクリーン２０に表示される一例を示したものである。図示するように、スクリーン２０は操作者Ｓの数に応じて分割される。そして、それぞれ操作者Ｓの年齢に応じた表示がなされる。
【００２３】
図３（ｃ）は、性別の異なる複数の操作者Ｓがスクリーン２０に偏って存在する場合、スクリーン２０に表示される一例を示したものである。図示するように、スクリーン２０は、操作者Ｓのいる側といない側とで分割され、さらに操作者Ｓがいる側が操作者Ｓの数に応じて分割される。そして、スクリーン２０の操作者Ｓが存在する側には、それぞれの操作者Ｓのたとえば性別に合わせた画像が表示される。また、操作者Ｓが存在しない側は、スクリーン２０への画像の投影が行われない。
【００２４】
そして、スクリーン２０に画像が表示され、操作者Ｓがスクリーン２０に、たとえば指等により触れた場合、その位置がプロジェクタ３０の投影光で照らされ、カメラ４０に明るく写る。画像処理装置６２は、このカメラ４０の撮影画像を入力して接触位置等を解析し、ＣＰＵ６１に出力する。
ＣＰＵ６１は、その接触位置に応じた処理を行い、たとえば接触位置に応じて、プロジェクタによって表示される画像を変更し、画像処理装置６２を介してプロジェクタ３０に出力し、スクリーン２０に表示させる。
【００２５】
以上、本実施形態によると、以下の効果を有する。
（１）本実施形態によると、操作者Ｓがスクリーン２０に近づいたときだけスクリーン２０に画像を表示することができる。したがって操作者Ｓがスクリーン２０の周囲に存在せず、画像の表示が不要な場合、スクリーン２０への画像の表示を行わないので、消費電力を低減することができる。
【００２６】
（２）また、画像処理装置６２が、撮影された画像中の顔に基づいて、操作者Ｓの性別や年齢等を判定する場合、ＣＰＵ６１は、操作者Ｓの性別や年齢によって画像の内容を変更可能であるので、操作者Ｓのニーズに応じた画像を表示することができる。
【００２７】
（３）さらに、操作者Ｓの人数や位置が検出された場合、ＣＰＵ６１は、画像処理装置６２を介してプロジェクタ３０に、操作者Ｓの人数や位置に対応してスクリーン２０の表示画面を分割して表示させた場合、個々の操作者Ｓのニーズに応じた画像を表示することができる。
【００２８】
（４）また、スクリーン２０上の、操作者Ｓが存在する方向だけに画像を表示させることもできる。この場合、画像の表示が不要な部分の表示を行わないので、消費電力を低減することができる。
（５）また、窓部２１にガラスが配置されているので、ごみ等の異物の筐体１１内への進入が防止される。
【００２９】
（第２実施形態）
つぎに、図４に示す本発明の第２実施形態を説明する。
図４は、本発明の第２実施形態における画像表示装置２の概念構成図である。
なお、第２実施形態における画像表示装置２の基本構成は前述した第１実施形態における画像表示装置１と同様であり、同様の構成要素には同符号を付して説明を省略する。
【００３０】
第１実施形態との違いは、窓部２２１に凹レンズ２２２が配置されていることである。これによりカメラ２４０はスクリーン２２０の裏面の拡散板２２０ａの位置と、スクリーン２２０よりも距離の遠い窓部２２１の外部との両方にピントを合わせる事が可能となり、窓部２２１の外部の、より精細な画像を取得することが可能となる。
さらに、レンズ２２２を設けることにより、画角が広がり、より広い外部の状況を撮影することが可能となる。
【００３１】
本実施形態では、さらに、第１実施形態と異なり、スクリーン２２０が導光板になっている。そして赤外光を発光してスクリーン２２０内に照射するスクリーン用赤外ＬＥＤ２０２を備える。スクリーン用赤外ＬＥＤ２０２は、赤外線をスクリーン２２０の側端面から照射する。スクリーン用赤外ＬＥＤ２０２によってスクリーン２２０の内部に照射された赤外光は、スクリーン２２０の内外面で全反射を繰り返して反対側の側面に至る。
【００３２】
また、カメラ２４０は、赤外波長を優先的に撮影可能な赤外線選択機能を有する、いわゆる赤外線カメラである。
操作者Ｓの、たとえば指等が、スクリーン２２０と接触すると、赤外光が散乱し、その散乱を赤外線カメラ２４０が撮影する。すなわち、スクリーン２２０の外面に指等が接触すると、その接触部分では、スクリーン２２０の内部における赤外光の反射光路に乱れが生じ、赤外光がスクリーン２２０の内面側に漏出する。カメラ２４０はこのスクリーン２２０の内面側に漏出した赤外光を撮像する。
【００３３】
本実施形態では、さらに、窓部２２１の外部を照明する外部用赤外ＬＥＤ２０３を備えている。外部用赤外ＬＥＤ２０３は、筐体１１の外部におけるカメラ２４０による撮影可能領域に赤外線を照射する。
第１実施形態と同様に、操作者Ｓがスクリーン２２０を操作しようとして、窓部２２１を通してカメラ２４０によって撮影される位置にくると、操作者Ｓの画像がカメラ２４０に撮影される。
図５はカメラ２４０によって撮影される画像の一例である。上述のように窓部２２１を通して外部の状態を観察可能であるため、窓部２２１の外側に、たとえば操作者Ｓが近づいたとき、カメラ２４０で撮影される画像に，窓部２２１を通して操作者Ｓが写り込む。
この際、本実施形態では赤外線が照射されているため、外部が暗い場合であっても、赤外線カメラ２４０は赤外線の反射光を撮影することができ、より鮮明な画像を得ることができる。
【００３４】
以上、本実施形態によると、第１実施形態の効果に加え、以下の効果を有する。
（１）窓部２２１に凹レンズ２２２が配置されているので、カメラ２４０はスクリーン２２０の裏面の拡散板２２０ａの位置と、スクリーン２２０よりも距離の遠い窓部２２１の外部との両方にピントを合わせる事が可能となり、窓部２２１の外部の、より精細な画像を取得することが可能となる。さらに、レンズ２２２を設けることにより、画角が広がり、より広い外部の状況を撮影することが可能となる。
（２）外部に向けて外部用赤外ＬＥＤ２０３より赤外線が照射されているので、外部が暗い場合でも、赤外線の反射光をカメラ２４０が捉えやすくなる。したがって、鮮明な画像を捉えることができ、より人の認識制度が高まる。
（３）また、スクリーン２２０にスクリーン用赤外ＬＥＤ２０２より赤外線が照射され、赤外線カメラ２４０が、指等の接触部分のスクリーン２２０の内面側への漏出赤外光を撮像するので、容易に指の位置を抽出することができる。
（４）また、凹レンズ２２２に逆ガリレオ光学系を用いてもよい。
【００３５】
（第３実施形態）
図６は第３実施形態の画像表示装置３を示す図である。なお、第３実施形態における画像表示装置２の基本構成は前述した第２実施形態における画像表示装置２と同様であり、同様の構成要素には同符号を付して説明を省略する。
【００３６】
第３実施形態と第２実施形態とは、スクリーン３２０が曲面となっており、魚眼レンズ３５１を通して映像を投影する点が異なる。
また、カメラ３４０の光学系と、プロジェクタ３３０の光学系とを、共通の投影受光光学系３５０とすることで、部品点数の削減を図ってコスト削減を達成するとともに、カメラ３４０とプロジェクタ３３０の画像の位置関係を簡素化している。
【００３７】
次に、詳細に本実施形態について説明する。
本実施形態のスクリーン３２０は、所定の板厚で中空半球状に形成されている。
投影受光光学系３５０は、画角が略１８０°の魚眼レンズであるレンズ３５１を備えており、スクリーン３２０の全域を画角内として配設されている。
そして、投影受光光学系３５０は、画像光をスクリーン３２０に向けて投射するように、半球状のスクリーン３２０の略中心に配設されている。投影受光光学系３５０は、制御部６０（画像処理装置６２）から入力される画像情報の画像光をスクリーン３２０に投射する。
【００３８】
また、本実施形態では、第２実施形態と同様に、スクリーン３２０は導光板であって、このスクリーン３２０の側端面より、検出光を照射するスクリーン用ＬＥＤ３０２が配置されている。また、外部を照明する外部用ＬＥＤ３０３も配置されている。
これらのスクリーン用ＬＥＤ３０２及び外部用ＬＥＤ３０３は、制御部６０に設けられたＬＥＤコントローラ３１０に接続されている。このＬＥＤコントローラ３１０は、スクリーン用ＬＥＤ３０２と外部用ＬＥＤ３０３とを、それぞれ交互にＯＮ／ＯＦＦする。
【００３９】
表示部３００は、さらにカメラ３４０と、ダイクロイックミラー３４１と、を備える。
ダイクロイックミラー３４１は、特定波長の検出光（スクリーン用ＬＥＤ３０２，外部用３０３の光による反射光）のみを反射し、他の光は透過する周波数特性を備えた反射鏡である。
ダイクロイックミラー３４１は、投影受光光学系３５０におけるプロジェクタ３３０と投影受光光学系３５０の間の光路中に、光路に対して所定の角度で介設されている。
カメラ３４０は、投影受光光学系３５０から入射してダイクロイックミラー３４１によって反射されたスクリーン用ＬＥＤ３０２により発生された光に由来する検出光を検出可能に配設されている。
【００４０】
また、カメラ３４０は、上述のＬＥＤコントローラ３１０による、スクリーン用ＬＥＤ３０２と外部用ＬＥＤ３０３のＯＮ／ＯＦＦと同期して撮影を行う。
図７（ａ）は、スクリーン用ＬＥＤ３０２によりスクリーン３２０が照明されているときに撮影されたカメラ３４０の画像であり、図７（ｂ）は、外部用ＬＥＤ３０３により凹レンズ３２２の外部が照明されているときに撮影されたカメラ３４０の画像である。それぞれ、操作者Ｓがスクリーン３２０に接触した際の画像（図７（ａ））、操作者Ｓが窓部３２１に存在する場合のカメラの撮影画像（図７（ｂ））である。
図示するように、スクリーン用ＬＥＤ３０２によりスクリーン３２０内に光が導光されているときに撮影されたカメラ３４０の画像（図７（ａ））には、スクリーン３２０上の情報のみ検出される。また、外部用ＬＥＤ３０３により凹レンズ３２２の外部が照明されているときに撮影されたカメラ３４０の画像（図７（ｂ））には、窓部３２１の画像だけが検出される。
【００４１】
以上、本実施形態によると、以下の効果を有する。
（１）カメラ３４０は、上述のＬＥＤコントローラ３１０によって、スクリーン用ＬＥＤ３０２と外部用ＬＥＤ３０３とのＯＮ／ＯＦＦの切り替えと同期して撮影を行う。したがって、スクリーン３２０に光を導光した画像と、外部を照明した画像とを別に取得することが出来る。
これによると、スクリーン用ＬＥＤ３０２が照明している画像と、外部用ＬＥＤ３０３が照明しているときの画像の差分を取ることが可能で、外乱光の影響を排除してより確実にスクリーンに接触した指と外部の状況とを確実に取得することが出来る。さらに、一枚の画像から両者を切り分ける必要がなくなるため、画像処理を簡素化できる。
【００４２】
（２）また、外部用ＬＥＤ３０３のみを使用して、外部に人などが検出されない場合は誰も映像を見ていない、あるいは操作しないと判断して、プロジェクタ３３０とスクリーン用ＬＥＤ３０２をＯＦＦにすることで省電力化することが可能となる。
また、カメラ３４０とプロジェクタ３３０で投影受光光学系３５０を共用するため、全体をコンパクトに構成できると共に、画像の歪み補正が不要または容易である。
【００４３】
（変形形態）
以上、説明した実施形態に限定されることなく、以下に示すような種々の変形や変更が可能であり、それらも本発明の範囲内である。
（１）第１実施形態では、窓部２１にガラスが配置されている例について説明したが、これに限定されず、たとえば他の透光部材を配置しても良く、また何も配置されていない隙間であってもよい。
（２）第２実施形態及び第２実施形態では、窓部２２１，３２１に凹レンズ２２２，３２２を配置したが、これに限定されず、凸レンズであっても良い。
（３）本実施形態では、スクリーンを撮影するカメラと、窓部を撮影するカメラとを１つのカメラとしたが、それぞれ別のカメラであっても良い。
なお、実施形態及び変形形態は、適宜組み合わせて用いることもできるが、詳細な説明は省略する。また、本発明は以上説明した実施形態によって限定されることはない。
【符号の説明】
【００４４】
１，２，３：画像表示装置、１０，２００，３００：表示部、１１：筐体、２０，２２０，３２０：スクリーン、２０ａ，２２０ａ：拡散板、２１，２２１，３２１：窓部、３０，３３０：プロジェクタ、４０，２４０，３４０：カメラ、６０：制御部、６１：ＣＰＵ、６２：画像処理装置、２０２：スクリーン用赤外ＬＥＤ、２０３：外部用赤外ＬＥＤ、２２２，３２２：凹レンズ、３０２：スクリーン用ＬＥＤ、３０３：外部用ＬＥＤ、３１０：ＬＥＤコントローラ、３４１：ダイクロイックミラー、３５０：投影受光光学系、３５１：魚眼レンズ、Ｓ：操作者
【図１】
2013205542.tif 000003
【図２】
2013205542.tif 000004
【図３】
2013205542.tif 000005
【図４】
2013205542.tif 000006
【図５】
2013205542.tif 000007
【図６】
2013205542.tif 000008
【図７】
2013205542.tif 000009